(57)【要約】      （修正有）【課題】折り曲げ等によって簡単に形成できる自立可能なフィンガーフード用容器であって、油分が浸み出して食卓を汚したり、見栄えが悪くなったりするといった問題を解消できるフィンガーフード用容器を提供する。【解決手段】それぞれが折り目にて区分けされる背面領域０３１１、第一脚領域、底面領域０３１３、第二脚領域０３１４、正面領域０３１５がこの順に直列的に配列される紙状素材を第一脚領域が背面領域に重ね合わされるようにし、第二脚領域が正面領域に重ね合わされるようにし、底面領域が、背面領域と第一脚領域の境界線および第二脚領域と正面領域の境界線の全部又は一部にて載置面に接地される第一脚と第二脚に支えられ、載置面から上げ底されるように折り曲げられることで形成される略筒状体のフィンガーフード用容器を提供する。【選択図】図３
0003161663.tif 000002
【実用新案登録請求の範囲】
【請求項１】
それぞれが折り目にて区分けされる背面領域、第一脚領域、底面領域、第二脚領域、正面領域がこの順に直列的に配列される紙状素材を
第一脚領域が背面領域に重ね合わされるようにし、
第二脚領域が正面領域に重ね合わされるようにし、
底面領域が、背面領域と第一脚領域の境界線および第二脚領域と正面領域の境界線の全部又は一部にて載置面に接地される第一脚と第二脚に支えられ、載置面から上げ底されるように折り曲げられることで形成される略筒状体のフィンガーフード用容器。
【請求項２】
底面領域は、背面領域、第一脚領域、第二脚領域、正面領域を重ね合わせた組立中間体にて、底面折曲線で折り曲げられて一方が背面領域側に近く、他の一方が正面領域側に近く分けて重ね合わされており、重ね合わされて閉じられた開口予定側を上に置いた状態で左右から組立中間体を押すことで、前記底面領域の底面折曲線が下方に移動しつつ、重ね合わされた底面領域の一方と他方とが相互に開くことで完成体の底面が構成される請求項１に記載のフィンガーフード用容器。
【請求項３】
底面領域は、前記組立中間体にて開口予定側を上に置いた状態で左右に配置される持上領域と、前記組立中間体を左右から押す際に持上領域によって持ち上げられるように下降することで載置面に対して平行に開かれる本底面と、からなり、持上げ領域による持上げ力が本底面の開き動作に干渉しないようにするための力逃切込が設けられている請求項１又は２に記載のフィンガーフード用容器。
【請求項４】
前記紙状素材は、背面領域側を上に置いた状態で正面領域の下方に隣接し、正面領域と折り目にて区分けされる下方折返領域をさらに有し、
下方折返領域が正面領域と重ね合わされるように折り曲げられることで形成される請求項１から３のいずれか一に記載のフィンガーフード用容器。
【請求項５】
前記紙状素材は、背面領域側を上に置いた状態で背面領域の側方に隣接し、背面領域と折り目にて区分けされる側方折返領域をさらに有し、
側方折返領域が正面領域と重ね合わされるように折り曲げられることで形成される請求項１から３のいずれか一に記載のフィンガーフード用容器。
【考案の詳細な説明】
【技術分野】
【０００１】
本件考案は、紙状素材を折り曲げることで形成されるフィンガーフード用容器に関する。
【背景技術】
【０００２】
従来、フライドポテト、からあげ、コロッケ等のフィンガーフードを収納する包装用容器は多種類のものが知られている。特に、かかる容器を紙を素材に折り紙で作ることが可能な容器が知られている（特許文献１参照）。
【０００３】
また、このような容器にフードを入れた状態で店頭に展示したり、そこからじかに食べるために卓上に置いたりする場合に、自立可能な容器とする必要があることから、本出願人は、一枚の紙を折り曲げるだけで簡単に形成できる自立可能なフィンガーフード用容器であって、安定的に自立可能となるための脚を備えているフィンガーフード用容器を提案し、すでに実用新案登録済みである（実用新案登録第３１２５０７５号）。
【先行技術文献】
【特許文献】
【０００４】
【特許文献１】実開昭６０‐１４２６８２号公報
【考案の概要】
【考案が解決しようとする課題】
【０００５】
ところで、フライドポテト、からあげ、コロッケ等のフィンガーフードは油分を多く含んでいるため、特許文献１に示すような自立できない容器に収納した場合はもちろん、自立可能な容器に収納した場合であっても、底面が食卓などにじかに接している場合には、底面から油分が浸み出して食卓などを汚すおそれがある。また、容器の正面（前面）に油分が浸み出した場合には、店頭に並べた場合などに見栄えが悪くなるので好ましくない。
【０００６】
このためには、底面を上げ底として底面が直接しないようにしたり、正面を二重構造とすることでたとえ内側の面に油分が浸み出したとしても外側の面まで油分が染み出さないようにしたりすることが考えられる。しかしながら、紙の折り曲げなどによって簡単に形成できる容器において、このような上げ底や正面の二重構造を簡単に実現できる技術が従来知られていなかったことから、このような簡単に形成できるという利点を生かしつつ上のような問題（底面から油分が浸み出して食卓などを汚すとか、容器の正面に油分が浸み出して見栄えが悪くなるといった問題）に対応可能な容器を提供することは困難であった。
【０００７】
そこで、本考案の解決すべき課題は、折り曲げ等によって簡単に形成できる自立可能なフィンガーフード用容器であって、油分が浸み出して食卓を汚したり、見栄えが悪くなったりするといった問題を解消できるフィンガーフード用容器を提供することにある。
【課題を解決するための手段】
【０００８】
以上の課題を解決するため、本件考案のうち第一の考案は、それぞれが折り目にて区分けされる背面領域、第一脚領域、底面領域、第二脚領域、正面領域がこの順に直列的に配列される紙状素材を第一脚領域が背面領域に重ね合わされるようにし、第二脚領域が正面領域に重ね合わされるようにし、底面領域が、背面領域と第一脚領域の境界線および第二脚領域と正面領域の境界線の全部又は一部にて載置面に接地される第一脚と第二脚に支えられ、載置面から上げ底されるように折り曲げられることで形成される略筒状体のフィンガーフード用容器を提供する。
【０００９】
また、第二の考案は、第一の考案を基礎として、底面領域は、背面領域、第一脚領域、第二脚領域、正面領域を重ね合わせた組立中間体にて、底面折曲（おりまげ）線で折り曲げられて一方が背面領域側に近く、他の一方が正面領域側に近く分けて重ね合わされており、重ね合わされて閉じられた開口予定側を上に置いた状態で左右から組立中間体を押すことで、前記底面領域の底面折曲線が下方に移動しつつ、重ね合わされた底面領域の一方と他方とが相互に開くことで完成体の底面が構成されるフィンガーフード用容器を提供する。
【００１０】
また、第三の考案は、第一または第二の考案を基礎として、底面領域は、前記組立中間体にて開口予定側を上に置いた状態で左右に配置される持上領域と、前記組立中間体を左右から押す際に持上領域によって持ち上げられるように下降することで載置面に対して平行に開かれる本底面と、からなり、持上げ領域による持上げ力が本底面の開き動作に干渉しないようにするための力逃切込が設けられているフィンガーフード用容器を提供する。
【００１１】
また、第四の考案は、第一から第三のいずれか一の考案を基礎として、前記紙状素材は、背面領域側を上に置いた状態で正面領域の下方に隣接し、正面領域と折り目にて区分けされる下方折返領域をさらに有し、下方折返領域が正面領域と重ね合わされるように折り曲げられることで形成されるフィンガーフード用容器を提供する。
【００１２】
また、第五の考案は、第一から第三のいずれか一の考案を基礎として、前記紙状素材は、背面領域側を上に置いた状態で背面領域の側方に隣接し、背面領域と折り目にて区分けされる側方折返領域をさらに有し、側方折返領域が正面領域と重ね合わされるように折り曲げられることで形成されるフィンガーフード用容器を提供する。
【考案の効果】
【００１３】
本考案により、折り曲げ等によって簡単に形成できる自立可能なフィンガーフード用容器であって、油分が浸み出して食卓を汚したり、見栄えが悪くなったりするといった問題を解消できるフィンガーフード用容器を提供することが可能となる。
【図面の簡単な説明】
【００１４】
【図１】実施例１のフィンガーフード用容器の形状・構造の一例を示す斜視図
【図２】実施例１の容器において上げ底が形成されている状態の断面を示す概念図
【図３】実施例１のフィンガーフード用容器を形成するための紙状素材の形状の一例を示す図
【図４】実施例１の容器を形成するための工程について説明するための図
【図５】実施例１の容器を形成するための工程について説明するための図
【図６】実施例１の容器を形成するための工程について説明するための図
【図７】実施例１の容器を形成するための工程について説明するための図
【図８】実施例１の容器を形成するための工程について説明するための図
【図９】実施例１の容器を形成するための工程において底面領域を広げる要領について説明するための図
【図１０】実施例１の容器を形成するための工程において底面領域を広げる要領について説明するための図
【図１１】力逃切込について説明するための図
【図１２】実施例２のフィンガーフード用容器を形成するための紙状素材の形状の一例を示す図
【符号の説明】
【００１５】
０１００      フィンガーフード用容器
０１０１      背面
０１０２      第一脚
０１０３      底面
０１０４      第二脚
０１０５      正面
０１０６      蓋
０３１１      背面領域
０３１２      第一脚領域
０３１３      底面領域
０３１４      第二脚領域
０３１５      正面領域
０３１６      蓋領域
０３１７      下方折返領域
１２１９      側方折返領域
【考案を実施するための形態】
【００１６】
以下に、本考案の実施例を説明する。実施例と請求項の相互の関係については、実施例１は主に請求項１、請求項２、請求項３、請求項４などに関し、実施例２は主に請求項５などに関する。なお、本考案はこれら実施例に何ら限定されるものではなく、その要旨を逸脱しない範囲において、種々なる態様で実施しうる。
【実施例１】
【００１７】
<概要>
【００１８】
本実施例のフィンガーフード用容器は、それぞれが折り目にて区分けされる背面領域、第一脚領域、底面領域、第二脚領域、正面領域がこの順に直列的に配列される紙状素材を第一脚領域が背面領域に重ね合わされるようにし、第二脚領域が正面領域に重ね合わされるようにし、底面領域が、背面領域と第一脚領域の境界線および第二脚領域と正面領域の境界線の全部又は一部にて載置面に接地される第一脚と第二脚に支えられ、載置面から上げ底されるように折り曲げられることで形成される略筒状体のフィンガーフード用容器である。
【００１９】
また、かかるフィンガーフード用容器であって、底面領域が、背面領域、第一脚領域、第二脚領域、正面領域を重ね合わせた組立中間体にて、底面折曲線で折り曲げられて一方が背面領域側に近く、他の一方が正面領域側に近く分けて重ね合わされており、重ね合わされて閉じられた開口予定側を上に置いた状態で左右から組立中間体を押すことで、前記底面領域の底面折曲線が下方に移動しつつ、重ね合わされた底面領域の一方と他方とが相互に開くことで完成体の底面が構成されるものも、本実施例のフィンガーフード用容器に含まれる。
【００２０】
また、かかるフィンガーフード用容器であって、底面領域が、前記組立中間体にて開口予定側を上に置いた状態で左右に配置される持上領域と、前記組立中間体を左右から押す際に持上領域によって持ち上げられるように下降することで載置面に対して平行に開かれる本底面と、からなり、持上げ領域による持上げ力が本底面の開き動作に干渉しないようにするための力逃切込が設けられているものも、本実施例のフィンガーフード用容器に含まれる。
【００２１】
<構成>
（容器の概要・特徴）
図１は、本実施例のフィンガーフード用容器の形状・構造の一例を示す斜視図である。このうち（ａ）、（ｂ）は、斜め上方から見た図、（ｂ）は斜め下方から見た図である。本図は蓋付きの容器の例であって、（ａ）は蓋を閉めた状態、（ｂ）は蓋を開けた状態を示す。本図に示すように、本例のフィンガーフード用容器（以下単に「容器」ということがある）０１００は、紙状素材からなる容器であり、背面０１０１、第一脚０１０２、底面０１０３、第二脚０１０４、正面０１０５を有する（見る角度の関係で（ａ）、（ｂ）、（ｃ）の一部において現れない部分がある）。また、本図の例では容器が蓋０１０６を有しているが、蓋はあってもなくてもよい。ただし、衛生面から言えば蓋を有するものの方が好適である。この容器は、これら各部分を構成するための領域が折り目によって区分けされたシート状の紙状素材を折り曲げることで形成される。折り曲げる前のシート状の紙状素材の形状および区分けされた各領域の名称・位置関係については後述する。
【００２２】
「紙状素材」とは、紙のように折りたたむことが可能な薄い素材をいい、その材質は典型的には紙であって容器として形成された状態でフィンガーフードを保持できるだけの強度を有し、かつフィンガーフードと接触してもフィンガーフードを安全に食べられるよう、油分や水分で変質したり、溶けたり、化学反応を起こして有害になったりという弊害を生じない紙をいう。また、上記の弊害を生じないよう紙の表面（両面又は片面）にビニール等でコーティングしたものでもよい。ただし、以上のような機能・弊害回避に適う限り紙以外の素材でもよく、例えば、ビニール、プラスティックフィルム、木、竹などであって上記の機能・弊害回避に適うものも含まれる。なお、本考案において「フィンガーフード」とは、指でつまんで食べられる程度の大きさを有する食べ物をいい、からあげ、えびあげ、フライドポテト、コロッケ、ハンバーガー、チョコレート、プチパン、ドーナツ類、菓子類などが該当するが、とりわけ、上述の本考案の目的に照らして念頭に置かれる食べ物はこれらの中でも油分を多く含むもの（からあげ、えびあげ、フライドポテト、コロッケ、ドーナツ類など）である。
【００２３】
本実施例の容器の特徴は、底面が上げ底になっていることにある。折り曲げによってかかる上げ底が形成させるようにするため、本容器は底面を形成する領域のほかに、当該領域に連なる領域であって脚を形成する第一脚領域、第二脚領域を有する。そして、第一脚領域が背面領域に重ね合わされるようにし、第二脚領域が正面領域に重ね合わされるようにし、底面領域が、背面領域と第一脚領域の境界線および第二脚領域と正面領域の境界線の全部又は一部にて載置面に接地される第一脚と第二脚に支えられ、載置面から上げ底されるように折り曲げられる。即ち、特許文献１に示されているような従来の容器では底面領域が背面領域と正面領域の間に直接隣接する形で配置され、これら領域を略コの字形状に折り曲げることで卓上に直接接する底面領域が形成されるのに対し、本実施例では、背面領域と底面領域の間に第一脚領域が介在し、底面領域と正面領域の間に第二脚領域が介在し、第一脚領域が背面領域の裏側に折り返され、第二脚領域が正面領域の裏側に折り返されるため、第一脚領域・第二脚領域により第一脚・第二脚で構成される脚が形成され、これにより底面が上げ底となるように構成される。
【００２４】
図２は、本実施例の容器において上げ底が形成されている状態の断面を示す概念図である。本図は、容器を正面の略中央と背面の略中央とを結ぶ直線で切断した垂直断面を示した図であり、あくまで概念図であるので、各面を単純な平面の形に簡略化して示したものである。図２（ａ）は、従来の容器の一例であり、背面領域、底面領域、正面領域が直列的に連なっている紙状素材を折り曲げて形成されるため、完成された容器において、背面０２０１（背面領域により形成される）、底面０２０３（底面領域により形成される）、正面０２０５（底面領域により形成される）がそれぞれ略直角をなして連接し、底面が載置面０２２０に接している。
【００２５】
図２（ｂ）は、本実施例の容器の一例である。本図に示すように、本実施例では背面領域の裏側に第一脚領域が折り返され、正面領域の裏側に第二脚領域が折り返されて、それぞれ第一脚０２０２、第二脚０２０４が形成されるため、底面領域によって形成される底面０２０３が上げ底となる。なお、これらの脚が背面・正面に接着された形状を保てるよにするため、容器を組み立てる際には、第一脚領域が背面領域に、第二脚領域が正面領域に、それぞれ糊付けされる。
【００２６】
本実施例の容器のさらなる特徴は、このような上げ底された底面を簡単に形成できるようになっていることにある。このための構成として、本実施例の容器においては、底面領域が、背面領域、第一脚領域、第二脚領域、正面領域を重ね合わせた組立中間体にて、底面折曲線で折り曲げられて一方が背面領域側に近く、他の一方が正面領域側に近く分けて重ね合わされており、重ね合わされて閉じられた開口予定側を上に置いた状態で左右から組立中間体を押すことで、前記底面領域の底面折曲線が下方に移動しつつ、重ね合わされた底面領域の一方と他方とが相互に開くことで完成体の底面が構成される。
【００２７】
（紙状素材の形状及び各部の名称）
次に、本実施例の容器を形成するための紙状素材の形状について説明する。
【００２８】
図３は、本実施例のフィンガーフード用容器を形成するための紙状素材の形状の一例を示す図である。本実施例の紙状素材は薄いシート状の素材であり、このような素材を折り曲げていくことで図１に示したような容器が形成される。本図に示すように、紙状素材０３１０は、それぞれが折り目にて区分けされる各領域を有する。さらに、各領域は完成した容器の状態（本考案において「完成体」という）においてそれぞれが必ずしも平面である必要はなく、折り目にて複数の小領域に区分けされていてもよい。本図の例では、便宜上（１）から（３２）までの番号を付した３２個の小領域に区分けされている。背面領域０３１１（小領域（４）〜（６）が該当）、第一脚領域０３１２（小領域（７）〜（１１）が該当）、底面領域０３１３（小領域（１２）〜（１７）が該当）、第二脚領域０３１４（小領域（１８）〜（２２）が該当）、正面領域０３１５（小領域（２４）〜（２６）、（２８）、（２９）が該当）を有する。「背面領域」は背面を構成するための領域であり、「第一脚領域」は第一脚を構成するための領域であり、「底面領域」は底面を構成するための領域であり、「第二脚領域」は第二脚を構成するための領域であり、「正面領域」は正面領域を構成するための領域である。これら背面領域、第一脚領域、底面領域、第二脚領域、正面領域は、この順に直列的に配列される。また、図１に示したような蓋を有する容器の場合には、本図に示すように蓋領域０３１６（小領域（１）〜（３）が該当）を有する。さらに、本図の例では、正面を二重構造とするために、正面領域に連なる領域として下方折返領域０３１７（小領域（３０）〜（３２）が該当）が備えられる。この下方折返領域は、正面領域と重なるように折り返されるための領域である。なお、正面領域の左右に位置する二つの領域０３１８（小領域（２３）、（２７）が該当）は、正面領域と背面領域を接着させるための領域であり、この接着を確実なものにするため、当該領域が背面領域に糊付けされるようになっていることが望ましい。
【００２９】
上述のように、各領域は完成体においてそれぞれが必ずしも平面である必要はないところ、例えば、背面領域を構成する小領域（４）、（５）、（６）は、底面の形状に見合う角度になるようにそれぞれの境界線で折り曲げられるため、完成体における背面はこれら各小領域によって形成される異なる三つの平面によって構成される。第一脚領域、第二脚領域、正面領域についても同様である。なお、本図において背面領域に設けられている半円状の切欠き舌片０３１１ａは、商品のディスプレイなどのために容器を壁のフックなどに引っ掛けるためのものであるが、かかる切欠き舌片はあってもなくてもよい。
【００３０】
各小領域の折り目の全部または一部にミシン目が入っていてもよい。このミシン目は、当該折り目を折り曲げやすいようにするためのものである。図２の例では、第一脚領域と底面領域の境界線、底面領域と第二脚領域の境界線にミシン目が入っていることが示されている。
【００３１】
なお、本図に示した紙状素材全体の形状や各領域の形状があくまで一例であり、これと異なる形状であってもよい。例えば、本図では正面領域および背面領域が上に行くほど幅が広く下に行くほど幅が狭い台形形状をしており、従って、完成体の容器もやや上に広がった形状となるが、これと異なり正面領域および背面領域の上下の幅が等しい長方形状のものであってもよい（図１に示した形状はこのような形状の例である）。
【００３２】
また、第一脚領域内の小領域（７）と（１０）の境界線、小領域（９）と（１１）の境界線、第二脚領域内の小領域（１８）と（２０）の境界線、小領域（１９）と（２２）の境界線の折り曲げ線はなくてもよい。なぜならば、これら境界線の位置で折り曲げなくても本実施例と同様の容器を形成することが可能であるからである。換言すれば、図３と同様の展開図において小領域（７）と（１０）、（９）と（１１）、（１８）と（２０）、（１９）と（２２）の各境界線の折り目（本図の例ではミシン目）が存在せず、この結果、全体の小領域数が本図より４個少ない２８個のものも、本考案の技術的範囲に含まれる。ただし、上記の４本の折り曲げ線（ミシン目）が存在する方が、折り曲げ動作をより容易に行うことができるため、より好適である。
【００３３】
（容器を形成する工程）
次に、かかるシート状の紙状素材を折りたたんで本実施例の容器を形成する工程について説明する。
【００３４】
図４から図１０までは、本実施例の容器を形成するための工程について説明するための図である。以下これらの図を用いつつ、当該工程を工程１から工程６に区分して説明する。
【００３５】
（工程１）
工程１は、背面領域と第一脚領域の境界線（図３において太実線０３３１で示す）を山折りする工程である。なお、本実施例における山折り・谷折りとは、すべて図３を手前側から見た場合で示す。
【００３６】
図４は、工程１を完了した状態（上記境界線０３３１より下側の部分を上側の部分の背後に折り返した（折り上げた）状態）を示す。なお、この折り曲げに際して第一脚領域のうち小領域（７）〜（９）の裏面が背面領域の裏面に糊付けされることが望ましい。このようにすることで、後述する図８に示す組立中間体を左右から押して底面領域を広げて完成体を形成する際に、第一脚領域が背面領域に接着された状態が保たれ、この結果第一脚領域により脚（第一脚）が形成され、後述の第二脚と相まって底面の上げ底を好適に実現できる。この糊付けに用いる接着材料もフィンガーフードと接触してもフィンガーフードを安全に食べられるような材料が用いられる。
【００３７】
（工程２）
工程２は、図４に示した状態から、底面領域の底面折曲線（図３において太実線０３３２で示す）を谷折りする工程である。ここで「底面折曲線」とは、底面領域を二等分する線であり、より詳細にいえば背面領域と第一脚領域の境界線０３３１と第二脚領域と正面領域の境界線０３３２のそれぞれから等距離に位置するこれら境界線に平行な直線線分である。
【００３８】
図５は、工程２を完了した状態（上記境界線０３３２より下側の部分（図４の状態では明確には図示されないが上記境界線より上側に位置している）を両境界線０３３１、０３３２の間の領域（第一脚領域、底面領域、第二脚領域）の背後に折り返した（折り下げた）状態）を示す。前述のように、背面領域・第一脚領域の境界線と底面折曲線の間の距離と、底面折曲線と第二脚領域・正面領域の境界線との間の距離は等しいので、本工程までの折り曲げの結果上記２個の境界線（太実線０５３１（０５３２）で示す）は同じ位置に重なることになる。
【００３９】
（工程３）
工程３は、図５に示した状態から、正面領域と下方折返領域の境界線（図３において太実線０３３３で示す）を山折りする工程である。本工程は、正面を二重構造とするための構成である。即ち、下方折返領域が正面領域と重ね合わされるように折り曲げられることで、これら２個の領域による二重構造の正面が形成される。なお、図５において、正面領域と下方折返領域の境界上の略中央に現れている開口部０５５０は、蓋の舌片部（蓋０５１６の小領域（１）によって形成される）を挿入するための正面の切欠きを形成するためのものである。また、正面領域の小領域（２８）、（２９）は蓋の下面に当接する部分である。
【００４０】
図６は、工程３を完了した状態（下方折返領域を正面領域の背後に折り返した（折り上げた状態）を示す。
【００４１】
（工程４）
工程４は、工程３によって現れる下方折返領域と正面領域が重ね合わされた部分（図６において太実線０６３１（０６３２）から下の部分）を当該太実線の位置で向こう側に折り返す（折り上げる）工程である。
【００４２】
図７は、工程４を完了した状態を示す。背面領域０７１５のうち小領域（４）、（６）のそれぞれ上方に僅かに見えている部分０７１８は図６における小領域（２８）、（２９）の裏面である。
【００４３】
（工程５）
【００４４】
工程５は、図７に示した状態から、正面領域の左右に位置する二つの領域０７１８（図６における小領域（２３）、（２７）の裏面）を当該各領域と正面領域の境界線（図７において太実線０７３５の位置に現れる）を手前側に折り返して正面領域の小領域（４）、（６）に重ね合わせる工程である。当該工程は、容器の正面（前面）と背面が接着されて筒状体が形成されるようにするための工程であり、従って、小領域（２３）、（２７）は小領域（４）、（６）に対してそれぞれのりづけされる。
【００４５】
図８は、工程５を完了した状態を示す。以上の工程にて、紙状素材を折り曲げ、糊付けして筒状体を形成する工程がすべて完了し、この結果として、背面領域、第一脚領域、底面領域、第二脚領域、正面領域が重ね合わされて閉じた状態の組立中間体が現れた状態となる。ここで「組立中間体」とは完成体である容器を形成するための組立ての途上の状態のものを意味する。この状態においては、底面領域は底面折曲線で折り曲げられて一方が背面領域側に近く、他の一方が正面領域側に近く分けて重ね合わされている。
【００４６】
（工程６）
そこで、工程５を完了した状態の組立中間体から完成体としての容器を形成するためには、折り曲げられた底面領域を単一の平面になるまで広げる必要がある。このために、図８に示した状態、即ち、重ね合わされて閉じられた開口予定側を上に置いた状態で左右からＡ方向およびＡ´方向に組立中間体を押すことで底面領域を広げる工程が工程６である。
【００４７】
図９は上記工程６に従って底面領域を広げる要領について説明するための図である。本図は、図８に示した組立中間体を正面領域の略中央・背面領域の略中央を通る線で垂直に切断した状態を示す垂直断面図である。本図は図８におけるＡ´方向から見た図であり、従って、背面領域の小領域（５）が左側に、正面領域の小領域（２５）が右側に現れている。図９（ａ）は、図８と同じ状態、即ち、組立中間体が閉じている状態を示す。この状態では、背面領域の小領域（５）の裏面に第一脚領域の小領域（８）が折り返され、糊付けされている。また、正面領域の小領域（２５）の裏面に第二脚領域の小領域（２１）が折り返され、糊付けされている。そして、小領域（８）と（２１）の間に位置する底面領域は底面折曲線（矢印Ｂで示す位置に現れる）で折り曲げられて、一方の小領域（１３）が背面領域側に近く、他の一方の小領域（１６）が正面領域側に近く分けられて重ね合わされている。この状態において図８に示したように組立中間体を左右から矢印Ａ方向およびＡ´方向に押した場合、図９（ａ）に示す矢印Ｃ方向およびＣ´方向に力が加えられ、背面領域の小領域（５）と正面領域の小領域（２５）が離間していき、閉じていた筒状体が次第に開いていくとともに、これにつれて折り曲げられた底面領域の一方の小領域（１３）と他方の小領域（１６）が相互に開いていくことになる。
【００４８】
図９（ｂ）は、背面領域の小領域（５）と正面領域の小領域（２５）がやや離間して、底面領域の一方の小領域（１３）と他方の小領域（１６）がある程度開いた状態を示す。このとき、底面折曲線は図９（ａ）の状態よりもやや下方に移動している。また、第一脚領域と第二脚領域はそれぞれ背面領域、正面領域に糊付けされているので、底面領域が開いていってもこれにつれて背面・正面領域から離れることなく、接着状態が保たれる。
【００４９】
図９（ｃ）は、図９（ｂ）の状態からさらに矢印Ｃ方向、Ｃ´方向に力が加えられた結果、底面領域がさらに広げられて単一の平面からなる底面が形成された状態を示す。この状態が容器の完成体である。
【００５０】
図１０も工程６に従って底面領域を広げる要領について説明するための図であり、図９を補足するために、底面領域近傍の状態を斜視図で示したものである。図１０（ａ）は、図９（ａ）に相当する図であり、組立中間体１００１が閉じた状態を示す。ここで矢印Ａ方向、Ａ´方向に当該中間組立体を押すと、正面領域（本図では上側に位置する）と背面領域（本図では下側に位置する）が広げられていき、底面領域の底面折曲線で折り曲げられた双方の小領域が相互に開いていくことになる。
【００５１】
図１０（ｂ）は、図９（ｂ）に相当する図であり、底面領域の小領域（１３）と（１６）がやや開いた状態を示す。
【００５２】
図１０（ｃ）は、図９（ｃ）に相当する図であり、図１０（ｂ）の状態から底面領域がさらに広げられて単一の平面からなる底面が形成された状態を示す。
【００５３】
なお、この底面領域を広げる動作を円滑に行うために、底面領域が、開口予定側を上に置いた状態で左右に配置される持上（もちあげ）領域と、前記組立中間体を左右から押す際に持上領域によって持ち上げられるように下降することで載置面に対して平行に開かれる本底面とからなり、持上領域による持上力（もちあげりょく）が本底面の開き動作に干渉しないようにするための力逃切込（ちからにがしきりこみ）が設けられていることが望ましい。本考案において「持上領域」とは、底面領域のうち左右に配置される領域をいい、図３における小領域（１２）、（１４）、（１５）、（１７）が該当する。また、「本底面」とは、底面領域のうち中央に配置される領域をいい、図３における小領域（１３）、（１６）が該当する。また、底面領域に設けられている切込み１０１３ａ〜１０１３ｆが力逃切込である。以下、持上領域、力逃切込の構成について順次説明する。
【００５４】
（持上領域）
「持上領域」は、上述のように、底面領域のうち左右に配置される領域であり、底面領域を広げる動作を円滑に行うためのものである。図１０（ａ）の状態においては、図には現れないが、本底面の小領域（１６）とその左右の持上領域（１７）、（１５）、さらにはその左右の第一脚領域の小領域（１９）、（１８）は単一の平面をなしている。本底面の小領域（１３）とその左右の持上領域（１４）、（１２）、さらにはその左右の第二脚領域の小領域（１１）、（１０）についても同様である。そして、図１０（ｂ）を経て図１０（ｃ）の状態に遷移していくにつれ、持上領域は脚領域との境界線を折り目として折り曲げられ、それぞれの隣接する脚領域に近づいていく（例えば小領域（１７）が（１９）に折り曲げられつつ近づいていく）。この場合、脚領域は背面・正面領域に接着した状態が保たれるため、折り曲げにつれて持上領域の本底面側が次第に下降していくこととなる。さらにこの持上領域に接している本底面も、持上領域の下降につれて下降していく。いわば、本底面は、持上領域によって持ち上げられるように下降することになる。
【００５５】
（力逃切込）
図１１は、力逃切込について説明するための図である。図１１（ａ）は、図３の底面領域近傍を拡大して示した図である。本図において、第一脚領域１１１２と底面領域１１１３の境界線上付近に２個の力逃切込１１１３ａ、１１１３ｂが、底面折曲線上に２個の力逃切込１１１３ｃ、１１１３ｄが、底面領域と第二脚領域の境界線上付近に２個の力逃切込１１１３ｅ、１１１３ｆが設けられている。力逃切込は、上述のように、持上領域による持上力が本底面の開き動作に干渉しないようにするためのものである。即ち、かかる底面を形成するための動作においては、一般に、持上領域が持ち上がろうとする際にこれら力逃切込が設けられる部分に対して加わる力と、本底面が開こうとする際に当該部分に加わる力とが干渉し合うため、本底面を開く動作を円滑に行うことが困難となる。そこで、本図に示すような力逃切込を設けることによりこの部分に加わる力をいわば逃がすように構成することで、互いの力が干渉し合わないようにすることが可能となり、この結果当該動作を円滑に行うことが可能となる。
【００５６】
なお、図１１（ａ）の例に示すように、底面領域の両端に切欠き１１１３ｇ、１１１３ｈを設けてもよく、この切欠きの機能も力逃切込と基本的に同一である。
【００５７】
力逃切込の形状には特に限定はないが、様々な形状の切込みを設けて実験を行った結果によれば、図１１（ａ）に示したような略円形の切込みが最も好適である。図１１（ｂ）、（ｃ）は、力逃切込の形状を示すための図であり、図１１（ｂ）は図１０（ｂ）の破線長円１０４１で囲んだ部分の拡大図である。また、図１１（ｃ）は図１０（ｂ）の破線長円１０４２で囲んだ部分の拡大図である。ここに示されているように、力逃切込の最も好適な形状は、底面折曲線上の力逃切込１１１３ｄ（１１１３ｃも同様）にあっては、切り込みが二つに分かれており、舌片状の部分が本底面、持上領域のいずれともつながった形である。その余の力逃切込１１１３ｂ（１１１３ａ、１１１３ｅ、１１１３ｆも同様）にあっては、切り込みは一つにつながっており、舌片状の部分は持上領域とのみつながった形である。これらの図に示すように、持上領域（１１）、（１９）が持ち上がろうとする際に、本底面との境界線の位置に対して持上力が加えられるが、この位置に力逃切込が設けられているため、持上領域（１１）、（１９）が持ち上がろうとする力がこの切欠きによって形成される空間（図１１（ｃ）に三日月状に現れている空間）を通して逃がすことで、本底面（１３）、（１７）が広がろうとする力に干渉しないようにしている。
【００５８】
<効果>
本実施例の考案により、折り曲げ等によって簡単に形成できる自立可能なフィンガーフード用容器であって、油分が浸み出して食卓を汚したり、見栄えが悪くなったりするといった問題を解消できるフィンガーフード用容器を提供することが可能となる。
【実施例２】
【００５９】
<概要>
本実施例のフィンガーフード用容器は、実施例１の容器と基本的に共通するが、正面の二重構造を実現するための構成として下方折返領域に代えて側方折返領域を設けた点に特徴を有する。
【００６０】
<構成>
（紙状素材の形状）
【００６１】
図１２は、本実施例のフィンガーフード用容器を形成するための紙状素材の形状の一例を示す図である。図３に示した実施例１の紙状素材との違いは、実施例１の紙状素材は正面を二重構造とするための構成として下方折返領域を備えるのに対し、本実施例ではこれに代えて側方折返領域を備える点にある。
【００６２】
「側方折返領域」は、背面領域側を上に置いた状態で背面領域の側方に隣接し、背面領域と折り目にて区分けされる領域である。図１２においては、背面領域１２１１（小領域（４）〜（６）が該当）の左右に２個の側方折返領域１２１９（左側の領域は小領域（３３）〜（３５）、右側の領域は小領域（３６）〜（３８）が該当）が備えられている。その余の各領域は図３に示した実施例１の紙状素材と同様である（比較の便宜のため、小領域番号は同種の領域に対応させた）。なお、本図に示した紙状素材全体の形状や各領域の形状があくまで一例である点は、図３について実施例１で述べたところと同様であり、本図では正面領域および背面領域が長方形状のものを示したが、これと異なり図３に示したような台形形状をしたものであってもよい。
【００６３】
（工程）
このような紙状素材を折り曲げて容器を形成するための工程も、実施例１で説明したところと概ね共通する。従って、図を用いて詳細に説明することは省略し、概略だけ述べれば、まず、背面領域と第一脚領域の境界線を山折りする工程（工程１）は、実施例１と全く同様である。また、底面領域の底面折曲線を谷折りする工程（工程２）も実施例１と全く共通である。
【００６４】
一方、実施例１では、次の工程（工程３）として正面領域と下方折返領域の境界線を山折りするようにしていたが、本実施例ではこれに代えて、第二脚領域と正面領域の境界線（図１２において太実線１２３３で示す）を山折りする（本実施例における工程３）。この結果、正面領域が背面領域の（図１２の手前方向から見て）背後に折り返される（折り上げられる）形で重ね合わされることになる。
【００６５】
次に、本実施例における工程４として、背面領域と側方折返領域の境界線（図１２において太実線１２３６で示す）を山折りし、背面領域の背後に重ね合わされている正面領域のさらに背後に重ね合わせる。ここで、各側方折返領域の横幅（図１２でいえば小領域（３５）および（３４）の幅を合計した長さ、また（３７）、（３８）の幅を合計した長さ）は正面領域の横幅（（２４）〜（２６）の幅を合計した長さ）の１／２に等しく、２個の側方折返領域の横幅の合計は正面領域の幅に等しい。従って、２個の側方折返領域は正面領域を完全に覆う形で重ね合わされることとなり、これにより正面領域と２個の側方折返領域による正面の二重構造が実現される。なお、これらの工程において、各領域を接着させるために適宜糊付けが行われる。例えば、実施例１と同様の第一・第二脚領域と背面・正面領域の裏面どうしの糊付けのほか、側方折返領域（例えば中央に近い部分）の裏面の正面領域への糊付け等が行われる。
【００６６】
なお、正面領域と側方折返領域の折返しの順序は逆でもよい。即ち、工程３と工程４の順序を入れ替えてもよい。この場合には、側方折返領域を正面領域が覆うように重ね合わされることとなる。
【００６７】
以上の工程により、背面領域、第一脚領域、第二脚領域、正面領域、側方折返領域を重ね合わせた組立中間体が形成されるので、その後は、実施例１で説明したところと同様の工程により底面を形成することで、容器の完成体を形成することができる。ここでも持上領域、力逃
【００６８】
<効果>
本実施例の考案によっても、折り曲げ等によって簡単に形成できる自立可能なフィンガーフード用容器であって、油分が浸み出して食卓を汚したり、見栄えが悪くなったりするといった問題を解消できるフィンガーフード用容器を提供することが可能となる。
【図１】
0003161663.tif 000003
【図２】
0003161663.tif 000004
【図３】
0003161663.tif 000005
【図４】
0003161663.tif 000006
【図５】
0003161663.tif 000007
【図６】
0003161663.tif 000008
【図７】
0003161663.tif 000009
【図８】
0003161663.tif 000010
【図９】
0003161663.tif 000011
【図１０】
0003161663.tif 000012
【図１１】
0003161663.tif 000013
【図１２】
0003161663.tif 000014